(57)【要約】      （修正有）【課題】優れた全体的な強度と、軽量化とを両立したゴルフバッグ構造を提供する。【解決手段】上部フレームと、下部フレームと、支持板と、第１のカバー部材と、第２のカバー部材と、少なくとも１つの支柱とを備えるゴルフバッグ構造であって、支持板及び支柱の両端には、それぞれ、上部フレーム及び下部フレームに接合している。第１のカバー部材及び第２のカバー部材は、それぞれの一つの側部が、支持板に結合している。第１のカバー部材の他の側部、及び第２のカバー部材の他の側部は、それぞれ、上部フレームと、下部フレームに結合している。また、第１のカバー部材及び第２のカバー部材は、それぞれ、上部フレームと、下部フレームに結合している。そして、互いに結合された支持板、第１のカバー部材及び第２のカバー部材では収納空間を画定する。支柱は、収納空間内に位置される。【選択図】図１
2018192044.tif 000002
【特許請求の範囲】
【請求項１】
少なくとも１本のゴルフクラブを収容するゴルフバッグの構造において、
上部フレームと、
前記上部フレームに対向する下部フレームと、
硬質材料からなる支持板と、
一つの端部が前記上部フレームに接合しており、他の端部が前記下部フレームに接合しており、並びに、前記支持板に対向するように配置された支柱と、
軟質材料からなる第１のカバー部材と、
軟質材料からなる第２のカバー部材とを備えており、
前記支持板の両端がそれぞれ、第１の接合端部及び第２の接合端部とされ、前記支持板の両側がそれぞれ、第１の接合側部及び第２の接合側部とされる場合、前記第１の接合端部は前記上部フレームに接合しており、前記第２の接合端部は前記下部フレームに接合しており、
前記第１のカバー部材の一つの側部が第１の結合側部とされ、前記第１の結合部に対向する他の側部が第１の連結側部とされ、前記第１のカバー部材の一つの端部が第１の上結合端部とされ、前記第１の上結合端部に対向する他の端部が第１の下結合側部とされる場合、前記第１の結合側部は前記支持板の第１の接合側部に結合しており、第１の上結合端部は前記上部フレームに結合しており、第１の下結合端部は前記下部フレームに結合しており、
前記第２のカバー部材の一つの側部が第２の結合側部とされ、前記第２の結合部に対向する他の側部が第２の連結側部とされ、前記第２のカバー部材の一つの端部が第２の上結合端部とされ、前記第２の上結合端部に対向する他の端部が第２の下結合端部とされる場合、前記第２の結合側部は前記支持板の第２の接合側部に結合しており、第２の上結合端部は前記上部フレームに結合しており、第２の下結合端部は前記下部フレームに結合しており、
前記第１のカバー部材の前記第１の結合側部と、前記第２のカバー部材の前記第２の結合側部とを結合することで、前記支持板と、前記第２のカバー部材と、前記第１のカバー部材とが円筒状の構造になり、
前記円筒状の構造において、内部は収納空間になり、前記支柱は前記収納空間内に位置されること、
を特徴とするゴルフバッグ構造。
【請求項２】
第１の支持穴と、第２の支持穴とをさらに含んでおり、
前記第１の支持穴は、前記上部フレームに形成されており、
前記第２の支持穴は、前記下部フレームに形成されており
前記支柱の一つの端部は、前記第１の支持穴に挿入されており、
前記支柱の他の端部は、前記第２の支持穴に挿入されていることを特徴とする請求項１記載のゴルフバッグ構造。
【請求項３】
複数のロック部品をさらに含んでおり、
前記複数のロック部品はそれぞれ、前記上部フレームと前記下部フレームを貫通しており、且つ
前記複数のロック部品はそれぞれ、前記支持板の前記第１の接合端部と前記第２の接合端部との結合、前記第１のカバー部材の第１の上結合端部と第１の下結合端部との結合、前記第２のカバー部材の第２の上結合端部と第２の下結合端部との結合をするためのものであることを特徴とする請求項１記載のゴルフバッグ構造。
【請求項４】
前記上部フレーム板に形成された上結合環部と、前記上部フレームの外表面と前記上結合環の間に形成された上取付け凹穴とをさらに含んでおり、
前記支持板の一つの端にある前記第１の接合端部は、前記上取付け凹穴に配置されると共に、前記上結合環部に連接することを特徴とする請求項１記載のゴルフバッグ構造。
【請求項５】
前記下部フレームに形成された下結合環部と、前記下部フレームの外表面と前記下結合環の間に形成された下取付け凹穴とをさらに含んでおり、
前記支持板の一つの端にある前記第２の接合端部は、前記下取付け凹穴に配置されると共に、前記下結合環部に連接することを特徴とする請求項１記載のゴルフバッグ構造。
【発明の詳細な説明】
【技術分野】
【０００１】
本発明は、ゴルフ用具に係わる技術分野に関し、特に、良好な構造的強度を有すると共に軽量であるゴルフバッグ構造に関する。
【背景技術】
【０００２】
従来、ゴルフバッグは、一つの端部にフレームを配置すると共に、他の端部にベースを配置する収納容器を主要的な構成とするものである。前記収納容器の内部は収納空間が形成されている。ゴルフクラブは、前記フレームから前記収納容器の前記収納空間を挿入することが一般的である。
【０００３】
前記収納容器は、胴体及びカバー部材を組合わせた構造であることが知られている。前記カバー部材は軟質材料からなるものである。前記カバー部材は前記胴体の外表面を覆うと共に、前記フレームと前記ベースに結合されていることから、このような構造となったゴルフバッグは、構造強度は良好であるが、前記胴体の重さがより大きいため、運送や輸送には便利でない他、持ち運びにも労力を費やすと考えられる。
【０００４】
また、前記収納容器は、一定の数量の支柱とカバー部材を適切に組合わせてなった構造もある。例えば、４本乃至６本の支柱を使用し、前記支柱の両端にはそれぞれ前記フレーム及び前記ベースに結合されることが挙げられる。前記カバー部材は、前記複数の支柱で囲んだ空間の外周を覆うと共に、前記フレームと前記ベースに結合されていることから、このような構造となったゴルフバッグは、重さが軽量化されているが、全体的な構造強度が良好ではないと考えられる。
【０００５】
さらに、台湾実用新案第Ｍ４６５９４６号公報、台湾実用新案第Ｍ４７８５２９号公報、台湾特許第Ｉ３３４７９２号公報、米国特許第ＵＳ７，７８０，００２号公報、及び米国特許第ＵＳ７，８７０，９５４号公報には、それぞれ、ゴルフバッグの構造が開示されている。しかし、重さや強度は良好ではない。
【先行技術文献】
【特許文献】
【０００６】
【特許文献１】台湾実用新案第Ｍ４６５９４６号公報
【特許文献２】台湾実用新案第Ｍ４７８５２９号公報
【特許文献３】台湾特許第Ｉ３３４７９２号公報
【特許文献４】米国特許第ＵＳ７，７８０，００２号公報
【特許文献５】米国特許第ＵＳ７，８７０，９５４号公報
【発明の概要】
【発明が解決しようとする課題】
【０００７】
本発明は、従来のゴルフバッグに係わる構造上の欠点を有しておらず、優れた全体的な強度と、軽量化とを両立したゴルフバッグ構造を提供することを目的とする。
【課題を解決するための手段】
【０００８】
前記目的と前記効果とを達成するため、本発明は、上部フレームと、下部フレームと、支持板と、第１のカバー部材と、第２のカバー部材と、少なくとも１つの支柱とを備えるゴルフバッグ構造を提供する。前記支持板及び前記支柱の両端には、それぞれ、前記上部フレーム及び前記下部フレームに接合している。前記第１のカバー部材及び前記第２のカバー部材は、それぞれの一つの側部が、前記支持板に結合している。前記第１のカバー部材の他の側部、及び前記第２のカバー部材の他の側部は、それぞれ、前記上部フレームと、前記下部フレームに結合している。また、前記第１のカバー部材及び前記第２のカバー部材は、それぞれ、前記上部フレームと、前記下部フレームに結合している。そして、互いに結合された前記支持板、前記第１のカバー部材及び前記第２のカバー部材では収納空間を画定する。前記支柱は、前記収納空間内に位置される。これにより、優れた全体的な強度と、軽量化とを両立したゴルフバッグ構造を形成することができる。
【図面の簡単な説明】
【０００９】
【図１】本発明に係るゴルフバッグ構造を示す分解図である。
【図２】本発明に係るゴルフバッグ構造において、支持板、上部フレーム及び下部フレームの組合わせを示す模式的な断面図である。
【図３】本発明に係るゴルフバッグ構造において、支持板と、第１のカバー部材と、第２のカバー部材とが結合した状態を示す模式的な平面図である。
【図４】本発明に係るゴルフバッグ構造において、第１のカバー部材と、第２のカバー部材と、上部フレームとが結合した状態を示す模式的な平面図である。
【図５】本発明に係るゴルフバッグ構造において、上部フレームと、下部フレームと、支持板と、第１のカバー部材と、第２のカバー部材とが、ロック部品を介して結合した状態を示す模式的な平面図である。
【図６】本発明に係るゴルフバッグ構造において、支持板と、第１のカバー部材と、第２のカバー部材とが結合した状態を示す模式的な断面図である。
【図７】本発明に係るゴルフバッグ構造において、上部フレーム及び下部フレームは支柱を介して組合わせた状態を示す模式的な断面図である。
【図８】本発明に係るゴルフバッグ構造において、第１のバッグ及び第２のバッグが配置されている状態の外観を示す図である。
【発明を実施するための形態】
【００１０】
図１を参照する。本発明により開示されたゴルフバッグは、図１の示すように、少なくとも１本のゴルフクラブ１０を収納することができる。また、このゴルフバッグは、前記ゴルフクラブ１０を支持する作用と共に、それを保護する機能を発揮する。本発明に係わるゴルフバッグは、上部フレーム２０と、下部フレーム３０と、支持板４０と、第１のカバー部材５０と、第２のカバー部材６０と、支柱７０とを組合わせた構造を有している。そのうち、支持板４０と、第１のカバー部材５０と、第２のカバー部材６０及び支柱７０は、それぞれ、上部フレーム２０と、下部フレーム３０との間に配置されている。また、図１の示すように、支柱７０は２本である。
【００１１】
上部フレーム２０の周囲には上結合環部２２が形成されている。上部フレーム２０の上部には、複数のスールホール２４が形成されている。下部フレーム３０は、座体（シート）とされた構造である。下部フレーム３０の周囲には下結合環部３２が形成されている。下部フレーム３０は、上部フレーム２０に対向するように配置されている。
【００１２】
支持板４０は硬質材料からなるものである。支持板４０の外表面はアーク状の円弧面４２である。支持板４０の一つの端部は第１の接合端部４４である。支持板４０の他の端部は第２の接合端部４６である。第１の接合端部４４は第２の接合端部４６に対向するように配置されている。支持板４０の一つの側部は第１の接合側部４７である。支持板４０の他の側部は第２の接合側部４８である。第１の接合側部４７は第２の接合側部４８に対向するように配置されている。
【００１３】
第１のカバー部材５０は軟質材料からなるものである。第１のカバー部材５０の一つの側部は第１の結合側部５２である。第１のカバー部材５０の他の側部は第１の連結側部５４である。第１の連結側部５４は第１の結合側部５２に対向するように配置されている。第１のカバー部材５０の一つの端部は第１の上結合端部５６である。第１のカバー部材５０の他の側部は第１の下結合端部５８である。第１の上結合端部５６は第１の下結合側部５８に対向するように配置されている。
【００１４】
第２のカバー部材６０は軟質材料からなるものである。第２のカバー部材６０の一つの側部は第２の結合側部６２である。第２のカバー部材６０の他の側部は第２の連結側部６４である。第２の連結側部６４は第２の結合側部６２に対向するように配置されている。第２のカバー部材６０の一つの端部は第２の上結合端部６６である。第２のカバー部材６０の他の側部は第２の下結合端部６８である。第２の上結合端部６６は第２の下結合側部６８に対向するように配置されている。
【００１５】
図２を参照する。上部フレーム２０の外表面２１と上結合環部２２との間には、上取付け凹穴２３を設けている。下部フレーム３０の外表面３１と下結合環部３２との間には、下取付け凹穴３３を設けている。支持板４０の一端にある第１の接合端部４４は上結合環部２２に連接するように、上取付け凹穴２３に設置されている。複数のロック部品７６は支持板４０の第１の接合端部４４を結合するように、上部フレーム２０の上結合環部２２を貫通されている。支持板４０の他端にある第２の接合端部４６は下結合環部３２に連接するように、下取付け凹穴３３に設置されている。複数のロック部品７６は支持板４０の第２の接合端部４６を結合するように、下部フレーム３０の下結合環部３２を貫通している。
【００１６】
図１，３を参照する。支持板４０の第１の接合側部４７は凹状の構造である。接合側部４７は、第１のカバー部材５０の第１の結合側部５２を結合するためのものである。支持板４０の第２の接合側部４８は凹状の構造である。接合側部４８は、第２のカバー部材６０の第２の結合側部６２を結合するためのものである。支持プレート４０、第１のカバー部材５０と、第２のカバー部材６０とを強固に結合するためには、接着剤、縫製、ジッパー、又はそれに同等する結合方式から任意に選択された他の方式により、支持板４０を、第１のカバー部材５０及び第２のカバー部材６０に結合することができる。また、第１の接合側部４７と第２の接合側部４８は凹状の構造であるため、支持板４０、第１のカバー部材５０と、第２のカバー部材６０との結合箇所をよりスムーズにすることが可能になっている。
【００１７】
図１，４を参照する。複数のロック部品７６は上部フレーム２０に貫通して設置されている。複数のロック部品７６はそれぞれ、第１のカバー部材５０の第１の上結合端部５６と、第２のカバー部材６０の第２の上結合端部６６と結合するためのものである。
【００１８】
図１，５を参照する。複数のロック部品７６は下部フレーム３０に貫通して設置されている。複数のロック部品７６はそれぞれ、第１のカバー部材５０の第１の下結合端部５８と、第２のカバー部材６０の第２の下結合端部６８と結合するためのものである。上部フレーム２０、下部フレーム３０、支持板４０、第１のカバー部材５０と、第２のカバー部材６０とはそれぞれ互いに連接された後、さらに、複数のロック部品７６を使用すると、上部フレーム２０、下部フレーム３０、支持板４０、第１のカバー部材５０と、第２のカバー部材６０との結合をより強固にすることができる。
【００１９】
図１，６を参照する。さらに、第１のカバー部材５０の第１の連結側部５４と、第２のカバー部材６０の第１の連結側部６４とを連接すると、周囲が、支持板４０、第１のカバー部材５０と、第２のカバー部材６０との連接により囲んだ筒のような形状にする筒状構造になっている。前記と筒状構造の内部には収納空間９０が形成されている。支柱７０は、収納空間９０内に支持板４０に対向して位置されている。第１の連結側部５４と第２の連結側部６４を接合する手段としては、接着剤、縫製、ジッパー、又は、バックル接合が挙げられるが、それに同等する結合方式から任意に選択された他の方式で接合しても良い。
【００２０】
図７を参照する。上部フレーム２０には、支柱７０の本数に合せるように、少なくとも１つの第１の支持穴７２が形成されている。下部フレーム３０には、支柱７０の本数に合せるように、少なくとも１つの第２の支持穴７４が形成されている。第１の支持穴７２は、第２の支持穴７４に対向するように配置されている。支柱７０の一端は第１の支持穴７２に挿入して結合することができる。支柱７０の他端は第２の支持穴７４に挿入して結合することができる。そして、支柱７０を第１の支持穴７２、第２の支持穴７４に挿入することにより、支柱７０は上部フレーム２０と下部フレーム３０に結合する機能を実現ことが可能になっている。また、上部フレーム２０と下部フレーム３０に対しては、支持板４０と支柱７０とが支持機能を付与することができる。
【００２１】
図８を参照する。本発明のゴルフバッグ構造は、さらに、第１のバッグ８０と、第２のバッグ８２を含んでいる。第１のバッグ８０は支持板４０の円弧面４２に配置されている。第２のバッグ８２は、第１のカバー部材５０の外表面に配置されている。第１のバッグ８０と、第２のバッグ８２は物件を収納する機能を有する。本発明のゴルフバッグ構造は、さらに、第１の取っ手８４及び第２の取っ手８６を含んでいる。第１の取っ手８４は、支持板４０の円弧面４２に配置され、第２の取っ手８６は上部フレーム２０に配置されていることにより、ユーザの把持に便利なようにすることが可能になる。
【００２２】
この実施例では、支持板４０と少なくとも１本の支柱７０により、上部フレーム２０と下部フレーム３０を結合した構造が一例として例示されている。支持板４０と支柱７０はいずれも重量耐性や圧力耐性を持つものであるから、上部フレーム２０、下部フレーム３０、支持板４０、第１のカバー部材５０と、第２のカバー部材６０と、支柱７０の組合せは、良好な構造強度や優れた安定性を有しており、使用者の要望を満たすことができる。
【００２３】
この実施例において、支持板４０と少なくとも１本の支柱７０を介して、上部フレーム２０と下部フレーム３０を結合することにより、ゴルフバッグを構成することから、この実施例に例示したゴルフバッグは、構成部材の数量がより少なくて、重さの軽量化などの効果が実現された。
【００２４】
以上のように、本発明に係る好ましい実施例を本発明の技術的特徴とし詳細に説明したが、いずれかの当該技術を熟知する当業者は、本発明の精神や原則を逸脱しない範囲で、本発明に対し変更や修正を行うことができ、これらの変更および修正は、全て本発明の以下の主張範囲内に含まれると解釈されるべきである。
【符号の説明】
【００２５】
１０  ゴルフクラブ
２０  上部フレーム
２１  外表面
２２  上結合環部
２３  上取付け凹穴
２４  スールホール
３０  下部フレーム
３１  外表面
３２  下結合環部
３３  下取付け凹穴
４０  支持板
４２  円弧面
４４  第１の接合端部
４６  第２の接合端部
４７  第１の接合側部
４８  第２の接合側部
５０  第１のカバー部材
５２  第１の結合側部
５４  第１の連結側部
５６  第１の上結合端部
５８  第１の下結合端部
６０  第２のカバー部材
６２  第２の結合側部
６４  第２の連結側部
６６  第２の上結合端部
６８  第２の下結合端部
７０  支柱
７２  第１の支持穴
７４  第２の支持穴
７６  ロック部品
８０  第１のバッグ
８２  第２のバッグ
８４  第１の取っ手
８６  第２の取っ手
９０  収納空間
【図１】
2018192044.tif 000003
【図２】
2018192044.tif 000004
【図３】
2018192044.tif 000005
【図４】
2018192044.tif 000006
【図５】
2018192044.tif 000007
【図６】
2018192044.tif 000008
【図７】
2018192044.tif 000009
【図８】
2018192044.tif 000010